(57)【要約】【課題】無線通信（例えば、ＲＦＩＤ）メニューから無線通信（例えば、ＲＦＩＤ）ロック設定を変更できるようにして使い勝手の向上をはかるとともに、その際の無線通信（例えば、ＲＦＩＤ）チップへの電力供給にかかわる内部設定値の不一致を回避する。【解決手段】制御部１０は、ＲＦＩＤロックメニューの設定変更において、設定変更時にその設定を直ちに変更することなく、Ｍ機能でシステムへの反映が指示されたときにその設定を反映させることにより、「ＲＦＩＤロック」、「ＲＦＩＤロッククイック解除」、「ＲＦＩＤロッククイック解除方法の変更」の３つの機能の同時設定を実現する。また、設定反映時に待受画面に遷移させることでＲＦＩＤメニュー状態における設定値の不一致を回避する。【選択図】図１
2008054144.tif 000002
【特許請求の範囲】
【請求項１】
電力が供給されることにより動作する無線通信部と、
表示部と、
前記無線通信部の動作を設定する複数の項目が割り付けられた動作設定画面と、前記無線通信部に電力が供給された状態で表示されると共に、前記動作設定画面に移行させるための項目が割り付けられた移行画面とを前記表示部に表示するように制御する制御部とを有し、
前記制御部は、前記動作設定画面に基づく設定が行われ、該設定を実行する指示が行われると、前記移行画面及び動作設定画面以外の画面に移行させる
ことを特徴とする携帯端末装置。
【請求項２】
前記制御部は、前記移行画面から前記動作設定画面に移行させる際に、
要求に基づき入力される暗証情報が、あらかじめ保持されてある暗証情報と一致した場合に、前記移行画面の表示から前記動作設定画面の表示に移行させる制御を行なう
ことを特徴とする請求項１記載の携帯端末装置。
【請求項３】
前記制御部は、
前記移行画面から前記動作設定画面に移行後、前記動作設定画面に割り付けられている項目が選択され、前記選択された項目の設定を実行することを指示する前に、前記移行画面に戻る指示が行われると、前記移行画面へ復帰させる制御を行なう
ことを特徴とする請求項１または２記載の携帯端末装置。
【発明の詳細な説明】
【技術分野】
【０００１】
本発明は、ＲＦＩＤ（Radio Frequency IDentification）チップ等の無線通信部を搭載し、当該無線通信部を使用し、電子決済等のアプリケーションを実行する用途に用いて好適な、携帯端末装置に関する。
【背景技術】
【０００２】
携帯端末装置において、着信音設定やセキュリティ設定等の機能設定は、設定メニューを用いて変更した場合、その設定変更（設定値）は、直ちにシステムに反映される。
図６（ａ）に示されるように、例えば、着信音を、曲Ａ→曲Ｂに設定変更を行なう場合、機能「設定メニュー」に戻るが、その「設定メニュー」表示中に着信を受けた場合は、変更した曲Ｂが鳴動する。また、図６（ｂ）に示されるように、オートロック設定の場合、その機能設定項目をＯＮにした場合は、設定変更後直ちに「待受け画面」に遷移し、オートロック状態に遷移する。更に、ダイヤル発信制限や、インターネット接続サービス制限、着信制限等、機能制限を行なう場合の設定も、設定変更後、直ちに設定値が反映され、機能「設定メニュー」に戻ってその制限は有効となる。
【０００３】
一方、最近、ＲＦＩＤチップを搭載した携帯電話が普及しつつあり、この携帯電話を、財布やメンバーズカード、あるいはチケットとして利用することができるようになった。ＲＦＩＤチップとは、人やものを識別する微小な無線チップであり、このＲＦＩＤチップが搭載された箇所（携帯電話）を、例えばコンビニ等に置かれたリーダ／ライタにかざすだけで電力の供給を受け、リーダ／ライタとのやりとりを可能にするものである（例えば、特許文献１参照）。
【０００４】
また、携帯電話のメインメニューの中に、ＲＦＩＤチップを使用したアプリケーションを実行するメニュー（以下、ＲＦＩＤメニューという）が追加され、同メニューを選択することにより、利用したいサービス（財布やメンバーズカード、あるいはチケット）のアプリケーションをダウンロードすることができる。
上記した携帯電話ではセキュリティ機能も充実し、暗証番号により自分以外の利用を制限するロック設定（以下、ＲＦＩＤロックという）、ある一定の時間だけ利用でき、あとは自動的にロックされるＲＦＩＤロッククイック解除設定、ＲＦＩＤロッククイック解除方法の変更設定が可能である。
【０００５】
ところで、上記したメインメニューに付加されるＲＦＩＤメニューの実行は、携帯電話に搭載されたＲＦＩＤチップへ電力を供給した状態で行なう必要があり、ＲＦＩＤロックがＯＮ設定されていた場合、一時的にロックを解除（ロックをＯＦＦ状態とし、ＲＦＩＤチップの電源供給ＯＮ）して利用する。
したがって、携帯電話は、ＲＦＩＤメニューが選択された場合、ＲＦＩＤチップがロック状態に設定されているか否かを判定し、ロックされていれば、ロックを解除して遷移する必要がある。そのロックを解除するためには、同じくメインメニューの中のＭ機能（機能設定メニュー）を選択してＲＦＩＤロックの設定を変更しなければならない。
【特許文献１】特開２００４−３５４３５１号公報
【発明の開示】
【発明が解決しようとする課題】
【０００６】
しかしながら、Ｍ機能中のＲＦＩＤロックの設定変更の階層は深く、このため、ＲＦＩＤメニューからＲＦＩＤロックの設定変更が可能なようにＭ機能へショートカットする機能があれば操作性の改善につながる。ここで、「ショートカット」とは、Ｍ機能での設定メニュー（遠隔オートロック等、Ｍ機能の階層が深い項目）へジャンプすることをいう。上記した、ＲＦＩＤメニューからＭ機能へショートカットする機能を設け、ＲＦＩＤロックの設定を変更しようとした場合、以下の（１）〜（３）に列挙した課題が生じる。
【０００７】
（１）ＲＦＩＤロックＯＦＦ状態からＲＦＩＤメニューを起動した場合において、Ｍ機能へショートカットした状態は、未だ電力の供給が要求されるＲＦＩＤメニューの状態にあり、このとき、ＲＦＩＤロックはＯＦＦ状態（電力供給がなされない）であるため、設定メニュー上であっても一時的な設定値の不一致が発生することを回避しなければならない。Ｍ機能へのショートカット機能で、ＲＦＩＤロックＯＮ状態とした場合、その設定を変更するためには設定メニューを終了して待ち受け画面に遷移する必要がある。また、Ｍ機能へのショートカット機能では、ＲＦＩＤロックメニューに含まれる、ＲＦＩＤロック、ＲＦＩＤロッククイック解除、ＲＦＩＤロッククイック解除方法のそれぞれにつき、同時に変更させたいという要求がある。
【０００８】
（２）ＲＦＩＤロックＯＮ状態からＲＦＩＤメニューを起動した場合において、Ｍ機能へショートカットしてＲＦＩＤロックＯＦＦ状態とした場合、ＲＦＩＤロックを一時解除状態から常時解除状態に変更する必要がある。また、ＲＦＩＤロックをＯＮ状態に再設定することも可能であるため、一時的な設定値の不一致が発生することを回避しなければならない。ＲＦＩＤロックＯＮ状態とした場合、その設定を変更するためには設定メニューを終了して待ち受け画面に遷移する必要がある。また、Ｍ機能へのショートカット機能では、ＲＦＩＤロックメニューに含まれる、ＲＦＩＤロック、ＲＦＩＤロッククイック解除、ＲＦＩＤロッククイック解除方法のそれぞれにつき、同時に変更させたいという要求がある。
（３）Ｍ機能のショートカット機能とはいえ、間違って選択する可能性もあるため、ユーザの利便性を考慮し、Ｍ機能へショートカットした後も、ＲＦＩＤメニューに２戻ることも可能としたい。
【０００９】
本発明は上記した課題を解決するためになされたものであり、無線通信（例えば、ＲＦＩＤ）ロックメニューにおいて、設定変更時にその設定を直ちに変更することなく、設定メニューでシステムへの反映を指示したときにその設定を反映させることにより、無線通信（例えば、ＲＦＩＤ）ロック、無線通信（例えば、ＲＦＩＤ）ロッククイック解除、無線通信（例えば、ＲＦＩＤ）ロッククイック解除方法の３つの機能を同時に変更することのできる携帯端末装置を提供することを目的とする。
また、設定反映時に画面を遷移させることで無線通信（例えば、ＲＦＩＤ）メニュー状態における設定値の不一致を回避した携帯態端末装置を提供することも目的とする。
【課題を解決するための手段】
【００１０】
本発明の携帯端末装置は、電力が供給されることにより動作する無線通信部と、表示部と、前記無線通信部の動作を設定する複数の項目が割り付けられた動作設定画面と、前記無線通信部に電力が供給された状態で表示されると共に、前記動作設定画面に移行させるための項目が割り付けられた移行画面とを前記表示部に表示するように制御する制御部とを有し、前記制御部は、前記動作設定画面に基づく設定が行われ、該設定を実行する指示が行われると、前記移行画面及び動作設定画面以外の画面に移行させる。
【発明の効果】
【００１１】
本発明によれば、動作設定画面において動作を設定する場合に、設定を実行するまでは画面の移行を行わないため、動作設定画面において複数の設定が可能になると共に、無線通信部への電力の供給状態の設定を反映させてから画面の移行を行うため、移行画面に対応した無線通信部に対する電力供給の不一致が発生しないこととなり、移行画面から動作設定画面に移行することができ操作性が向上する。
そのため、例えば本発明によれば、無線通信（例えば、ＲＦＩＤ）ロックメニューにおいて、設定変更時にその設定を直ちに変更することなく、設定メニューでシステムへの反映を指示したときにその設定を反映させることにより、無線通信（例えば、ＲＦＩＤ）ロック、無線通信（例えば、ＲＦＩＤ）ロッククイック解除、無線通信（例えば、ＲＦＩＤ）ロッククイック解除方法の３つの機能を同時に変更することができる。また、設定反映時に他の画面に遷移させることで、無線通信（例えば、ＲＦＩＤ）メニュー状態における設定値の不一致を回避した携帯端末装置を提供することができる。
【発明を実施するための最良の形態】
【００１２】
図１は、本発明の実施の形態にかかわる携帯端末装置の構成を示すブロック図である。ここでは、携帯端末装置として携帯電話が例示され、本発明と関係するブロック（構成）のみ抽出して示している。
図１に示されるように、本発明の実施形態にかかわる携帯電話は、制御部１０と、記憶部１１と、表示制御部１２と、操作入力部１３と、無線通信部１４とが、アドレス、データ、コントロールのためのラインが複数本で構成されるシステムバス２０に共通接続され、構成される。また、表示制御部１２には、表示メモリ１５、およびＬＣＤ（Liquid Crystal Display  Device）等、表示部としての表示ディスプレイ１６が接続されている。
【００１３】
制御部１０は、表示ディスプレイ１６に対し、少なくとも、無線通信部１４の動作を設定する複数の項目が割り付けられた動作設定画面（以下、ＲＦＩＤロックメニュー画面という）と、無線通信部１４への電力供給が要求され、動作設定画面に移行させるために選択される項目が割り付けられた移行画面（以下、ＲＦＩＤメニュー画面という）とを表示させ、一方、動作設定画面に割り付けられた項目が選択され、選択された項目の動作を実行することを指示する操作が選択された後、動作設定画面から、無線通信部１４への電力供給の有無に依存しない他の画面（以下、待受け画面という）に移行させる機能を持つ。
制御部１０は、記憶部１１に格納されたプログラムを順次読み取り、実行することにより周辺ブロックを制御することにより上記した機能を実現するものとする。内部構成等詳細は後述する。
【００１４】
表示制御部１２は、共通の表示画面（以下、メインメニュー画面という）から、少なくとも１回の画面遷移を経て移行し、無線通信部１４の動作を設定する複数の項目が割り付けられたＲＦＩＤロックメニュー画面と、表示のために所定の暗証情報の入力が要求され、当該要求に基づき入力された暗証情報が、記憶部１１にあらかじめ保持されてある暗証情報と一致した場合に、ＲＦＩＤロックメニュー画面に移行させるために選択される項目が割り付けられたＲＦＩＤメニューとを表示ディスプレイ１６へ表示する機能を持つ。
表示制御部１２は、制御部１０により生成される、例えば、メインメニュー、ＲＦＩＤメニュー、ＲＦＩＤロックメニュー、待受け画面等の各種表示情報を、システムバス２０を介して取得して表示メモリ１５へ描画し、制御部１０による制御の下、これら表示情報を表示ディスプレイ１６の表示タイミングに同期して読み出し、表示ディスプレイ１６へ表示する。
【００１５】
操作入力部１３は、ユーザによって操作される、各種メニュー画面に表示された項目選択、あるいは、後述するクリア、完了等に関するキー入力を取得し、システムバス２０経由で主制御部１０へ転送する。
また、無線通信部１４は、ＲＦＩＤチップ１４０を内蔵し、更に、ＲＦＩＤメニューが表示されているときに、制御部１０による制御の下、内蔵するＲＦＩＤチップ１４０に電力を供給するバスインタフェース１４（リーダデバイス）を備える。この無線通信部１４の内部構成等、詳細は図２を参照しながら後述する。
【００１６】
なお、制御部１０の構成は、機能的に、主制御部１００と、操作入力取得部１０１と、機能設定部１０２と、システム設定部１０３と、表示情報生成部１０４とに分解され、構成される。
主制御部１００は、制御部１０の制御中枢となり、ＲＦＩＤロックメニュー画面に割り付けられた項目を選択する操作を検知し、当該項目を選択後、選択された項目の動作を実行させるための操作を検知したときに、表示制御部１２に対し、ＲＦＩＤロックメニュー画面から、無線通信部１４への電力供給に依存しない待受け画面の表示に移行させる制御を行なう。
主制御部１００はまた、ＲＦＩＤメニューが選択された場合に無線通信部１４に対して電力供給のためのコマンドを出力する機能もあわせ持つ。
【００１７】
また、操作入力取得部１０１は、ユーザが操作入力部１３を操作することにより入力される情報、例えば、上記した各メニュー画面に割り付けられた項目の選択操作、あるいは後述するクリアや完了指令等を取得して主制御部１００へ出力する。
一方、機能設定部１０２は、主制御部１００による制御の下、ユーザが操作入力部１３を操作することにより設定される、例えば、着信音量、ＲＦＩＤロック等に関する機能設定内容を、操作入力取得部１０１を介して取得し、ここでは設定された内容を直接システムに反映させることなく内部フラグをＯＮする状態にとどめておく。
また、システム設定部１０３は、主制御部１００による制御の下、操作入力取得部１０１を介してユーザによる完了指令を受信したときに、機能設定部１０２により設定された各種設定内容（内部フラグがＯＮになっている機能）をシステムに設定反映させる。
【００１８】
表示情報生成部１０４は、主制御部１００による制御の下、例えば、メインメニュー、ＲＦＩＤメニュー、ＲＦＩＤロックメニュー、待受け画面等の各種表示情報を生成し、表示制御部１２へ出力する。
なお、主制御部１００は、照合操作も行い、要求に基づき入力される暗証情報が、記憶部１１にあらかじめ保持されてある暗証情報と一致した場合に、ＲＦＩＤメニュー画面からＲＦＩＤロックメニュー画面の表示に移行させる制御も行なう。更に、ＲＦＩＤメニュー画面からＲＦＩＤロックメニュー画面に移行後、ＲＦＩＤロックメニュー画面に割り付けられている項目が選択され、当該選択された項目の動作を実行することを指示する操作（完了指令）が選択される前に、当該選択された項目の動作を実行することをキャンセルすることを指示するための操作（キャンセル指令）が選択された場合に、ＲＦＩＤメニュー画面へ復帰させる制御も行なう。上記のように主制御部１００は、表示情報生成部１０４を用いてメニュー画面の展開制御も行なう。
【００１９】
図２は、図１に示す無線通信部１４の内部構成を示すブロック図である。無線通信部１４は、ＲＦＩＤチップ１４０と、リーダ／ライタを含むバスインタフェース部１５０とにより構成される。ここでは、ＲＦＩＤチップ１４０のみ、その内部構成が示されている。
ＲＦＩＤチップ１４０は、ループアンテナ１４１およびコンデンサ１４２から成るＬＣ回路と、これら以外のコンポーネントとが１チップに集積された半導体素子である。無線通信部１４は、電磁誘導を用いて接続されるバスインタフェース部１５０に内蔵されたリーダ／ライタ、あるいはコンビニや駅改札に等に設置される外部装置（リーダデバイス）との間でデータを半二重通信する。
ここでは、バスインタフェース部１５０は、ＲＦＩＤチップ１４０に対して電力を供給する電力供給部として機能する他、システムバス２０とＲＦＩＤチップ１４とのインタフェースを担い、制御部１０により生成されるコマンドを中継し、あるいはその応答データの認証も行なう。
【００２０】
ＲＦＩＤチップ１４０が内蔵するＣＰＵ１４３は、ＲＯＭ１４４に記録されている制御プログラムをＲＡＭ１４５上に展開し、ＲＦＩＤチップ１４０全体の動作を制御する。例えば、ＣＰＵ１４３は、外部装置から輻射された電磁波がアンテナ１４１で受信されたとき、それに応じて無線通信部１４に設定されているユニークな識別番号を含む情報を外部装置に通知し、あるいは外部装置の要求に応じて商取引の履歴を出力する。外部装置に通知された情報は、システムバス２０を経由して制御部１０に取り込まれる。
【００２１】
アンテナ１４１とコンデンサ１４２により構成されるＬＣ回路は、外部装置から輻射される所定の周波数の電磁波と共振する。インタフェース部１４７は、ＡＳＫ復調部において、アンテナ１４１を介して受信した変調波（ＡＳＫ；Amplitude Shift Keying変調波）を包絡線検波して復調し、復調後のデータをＢＰＳＫ（Binary Phase Sift Keying）復調部に出力する。
また、インタフェース部１４７は、アンテナ１４１において励起された交流磁界をＡＳＫ復調部により整流し、それを電圧レギュレータ２０１で安定化し、各ブロックに直流電源として供給する。リーダデバイスから輻射される電磁波の電力は、ＲＦＩＤチップに必要な電力を賄う磁界を発生させるように調整されている。
【００２２】
また、発振部２０４はＰＬＬ（Phase Locked Loop）回路を内蔵し、受信信号のクロック周波数と同一のクロック信号を発生する。更に、インタフェース部１４７は、例えば、残金情報等の要求をリーダデバイスに送信する場合、ＢＰＳＫ変調部１４８から供給されるデータに対応して、例えば、所定のスイッチング素子（図示せず）をＯＮ／ＯＦＦさせ、ＯＮ状態にあるときだけ所定の負荷をアンテナ１４１に並列に接続させることにより、アンテナ１４１の負荷を変動させる。
ＡＳＫ変調部２０２は、アンテナ１４１の負荷の変動により、ＢＰＳＫ変調部１４９から供給されたＢＰＳＫ変調波をＡＳＫ変調し、その変調成分を、アンテナ１４１を介してリーダデバイスに送信する。すなわち、リーダデバイスのアンテナの端子電圧を変動させる。
【００２３】
ＢＰＳＫ復調部１４９は、ＡＳＫ復調部２０３で復調されたデータがＢＰＳＫ変調されている場合、図示せぬＰＬＬ回路から供給されるクロック信号に基づいて、そのデータの復調を行い、当該復調したデータをデータ受信部１５１に出力する。
データ受信部１５１は、供給されたデータをバス１５２経由でＣＰＵ１４３へ適宜出力する。ＣＰＵ１４３は、このデータをＲＡＭ１４５またはＥＥＰＲＯＭ（Electronically Erasable Read Only Memory）１４６へ記憶させる。
ＥＥＰＲＯＭ１４６に記憶されてデータは、ＣＰＵ１４３により読み出され、データ送信部１５０へ供給される。データ送信部１５０から供給されるデータにＢＰＳＫ変調を行い、インタフェース部１４７のそれをＡＳＫ変調部へ出力する。なお、ＥＥＰＲＯＭ１４６には、電子マネー情報等が記憶される。
ユーザは、この電子マネーを利用して購入した商品、あるいはサービス等の代金を決済することができる。この履歴もＥＥＰＲＯＭ１４６に記憶される。
【００２４】
図３〜図５は、本発明の実施形態にかかわる携帯端末装置の動作を説明するために引用した図であり、フローチャート（図３）、画面遷移図（図４、図５）のそれぞれを示す。なお、図４は、ＲＦＩＤメニューから遷移した例、図５は、Ｍ機能から遷移した例を示す。
以下、図３〜図５を参照しながら、図１、図２に示す本発明の実施形態の動作について詳細に説明する。
【００２５】
図４（ａ）に示されるように、まず、表示ディスプレイ１６に、「データフォルダ」、「カメラ」、「ＲＦＩＤメニュー」、「Ｍ機能」、「記録媒体」の各選択項目から成るメインメニューが表示され（図３のＳ３０１）、この中からユーザが操作入力部１３を操作することにより、該当のメニューが実行される（Ａ）。ここでは、「ＲＦＩＤメニュー」が選択されたものとする（図３のＳ３０２“ＹＥＳ”、および図４（ｂ））。
制御部１０の主制御部１００は、このことを、操作入力取得部１０１を介して検知し、表示情報生成部１０４を経由して表示制御部１２を制御することにより、表示内容をＲＦＩＤメニュー画面の表示に移行させる（Ｓ３０３）。ＲＦＩＤメニュー画面の中には各種設定項目が含まれている（図４（ｂ））。ここで、各種設定項目が選択され、遷移する各種設定画面の中から「ＲＦＩＤロックメニュー」が選択されたとする（図３のＳ３０４“Ｙｅｓ”および図４（ｃ））。ここで、図４（ｃ）のＲＦＩＤロック画面がショートカットとなる。
【００２６】
主制御部１００はこのことを、操作入力取得部１０１を介して検知すると、表示情報生成部１０４を経由して表示制御部１２を制御することにより暗証番号入力画面を表示し、ユーザに暗証番号の入力を促す。主制御部１００は、ユーザによる暗証番号の入力を待ち、操作入力取得部１０１を介して取得されるユーザの暗証番号と、記憶部１１に保持してある暗証番号との照合を行なう（Ｓ３０５、Ｓ３０６）。
なお、ＲＦＩＤロックの他に、コンビネーション、コンビネーションバイブ等、各種設定メニューがあり、こちらが選択された場合、主制御部１００は、その設定処理を行う（Ｂ）。
【００２７】
ここで、暗証番号が一致した場合（Ｓ３０６“ＯＫ”）、主制御部１００は、表示情報生成部１０４を介して表示制御部１２を制御することにより、表示ディスプレイ１６に対する表示内容を、「ＲＦＩＤメニュー画面」から「ＲＦＩＤロッックメュー画面」に移行させる（図３のＳ３０７、および図４（ｄ））。以降、主制御部１００は、ＲＦＩＤロックメニュー画面の選択項目である、「ＲＦＩＤロック」、「ＲＦＩＤロッククイック解除」、「ＲＦＩＤロッククイック解除方法の変更」に関する設定制御を行なう。
ここで、ユーザが、誤操作に気づいて「ＲＦＩＤロックメニュー画面」の下部に割り付けられたキャンセルキーを押下したとき、主制御部１００は、操作入力取得部１０１を介してキャンセル指令を取得することにより、機能設定部１０２による選択項目の動作の実行をキャンセルする。そして、表示情報生成部１０４を介して表示制御部１２を制御し、ＲＦＩＤメニュー画面の表示へ復帰させる制御を行なう（Ｓ３０３）。
なお、図４において、無線通信部に電力が供給されていない状態で図４の（ａ）の表示が開始された場合、図４の（ａ）は、無線通信部に電力が供給されていない状態で表示される画面であり、図４の（ｂ）、図４の（ｃ）は、無線通信部に電力が供給されている状態で表示される画面であり、図４の（ｄ）は、図４の（ｃ）から移行された場合に無線通信部に電力が供給されている状態で表示される画面である。また、図４において、無線通信部に電力が供給されている状態で図４の（ａ）の表示が開始された場合、図４の（ａ）から図４の（ｄ）は無線通信部に電力が表示される状態で表示される画面である。
【００２８】
図５に、Ｍ機能画面を示す。すなわち、Ｓ３１０の処理において、選択項目「ＲＦＩＤロック」が選択された場合（Ｓ３１０“ロック”）、主制御部１００は、表示制御部１２を制御してＲＦＩＤロック設定画面を表示し、ＯＮ／ＯＦＦのいずれかのユーザ設定を促す（図３のＳ３１０、および図５（ａ）（ｂ））。
主制御部１００は、操作入力取得部１０１を介してユーザによる選択内容を取得し、機能設定部１０２に引き渡す。このとき、機能設定部１０２は、設定内容を内部のフラグに設定するだけでシステムへの反映は保留する。また、選択項目「ＲＦＩＤロッククイック解除」が選択された場合（Ｓ３０９“ロック解除”）、主制御部１０は、表示制御部１２を制御してＲＦＩＤロッククイック解除設定画面を表示し、先に入力した暗証番号の設定入力を促す（Ｓ３１１）。
更に、選択項目「ＲＦＩＤロッククイック解除方法の変更」が選択された場合（Ｓ３０９“解除方法の変更”）、主制御部１００は、表示制御部１２を制御して新規の暗証番号の設定入力を促す（Ｓ３１２）。このとき、機能設定部１０２は、上記同様、設定内容を内部のフラグに設定するだけでシステムへの反映は保留する。
【００２９】
上記のいずれかの設定が行われた後、設定キーが押下されると（Ｓ３１３“設定”）、主制御部１０は、表示制御部１２を制御して、「ＲＦＩＤロックメニュー画面」に移行させ（Ｓ３０７）、再度、「ＲＦＩＤロック」、「ＲＦＩＤロッククイック解除」、「ＲＦＩＤロッククイック解除方法の変更」に関する設定入力を促す（図５（ｃ）〜（ｅ））。
一方、完了キーが押下された場合（Ｓ３１３“完了”）、このことを、操作入力取得部１０１を介して検知した主制御部１００は、システム設定部１０３を制御し、システム設定部１０３は、機能設定部１０２が保留した内容を有効にするように、内部フラグに記憶された設定内容をシステムに反映させる。
また、主制御部１００は、設定内容がシステムに反映された後、表示情報生成部１０４を介して表示制御部１２を制御することにより、表示ディスプレイ１６に表示される内容を、「ＲＦＩＤロックメニュー画面」表示から「待受け画面」に遷移させる（図３のＳ３１４、および図５（ｆ））。
なお、図５の各図において、無線通信部に電力が供給されていない状態で図５の（ａ）の表示が開始された場合、図５の（ｃ）でＲＦＩＤロックがＯＦＦとされなければ、図５の各図は無線通信部に電力が供給されていない状態で表示される画面となる。図５の（ｃ）でＲＦＩＤロックがＯＦＦとされれば、図５の（ｆ）が無線通信部に電力が供給されている状態で表示される画面となる。また、図５の各図において、無線通信部に電力が供給されている状態で図５の（ａ）の表示が開始された場合、図５の（ｃ）でＲＦＩＤロックがＯＮとされれば、図５の（ａ）から（ｄ）は無線通信部に電力が供給されている状態で表示される画面となり、図５の（ｆ）が無線通信部に電力が供給されていない状態で表示される画面となる。また、図５の（ｆ）は、無線通信部に電力が供給されていても電力が供給されていなくても表示可な画面であり、無線通信部への電力供給を必要としない画面に該当する。
【００３０】
上記したように、設定変更時にその設定を直ちに変更することなく、完了キーの押下によりユーザがシステムへの反映を指示したときにその設定を反映させることで、「ＲＦＩＤロック」、「ＲＦＩＤロッククイック解除」、「ＲＦＩＤロッククイック解除方法の変更」の３つの機能を同時に変更することができる。このため、ユーザの負担が軽減され使い勝手の向上がはかれるとともに、そのための割り込み処理も簡素化されるため、主制御部１００の負荷も軽減される。
なお、ステップＳ３０４の処理において、他の設定、例えば、「コンビネーション」、「コンビネーションバイブ」が選択された場合は、リーダと通信した場合のＲＦＩＤチップ対応アプリケーションの起動の許可設定、振動の有無設定を行うものとする。
【００３１】
以上説明のように本発明の実施の形態によれば、「ＲＦＩＤロックメニュー」において、設定変更時にその設定を直ちに変更することなく、システムへの反映が指示されたときにその設定を反映させることにより、「ＲＦＩＤロック」、「ＲＦＩＤロッククイック解除」、「ＲＦＩＤロッククイック解除方法の変更設定」の３つの機能を同時に設定することができ、使い勝手の向上がはかれる。
また、Ｍ機能にショートカットしても、設定が反映される前であれば、元のＲＦＩＤメニュー表示に戻ることができ、一層使い勝手が向上するとともに利便性を与えることができる。また、設定が完了した後待受け画面に遷移させることで、ＲＦＩＤメニューからＭ機能へのショートカットによるＲＦＩＤチップに対する電源供給の矛盾が回避でき、内部状態不一致による誤動作を解消することができる。
【００３２】
なお、図１に示す制御部１０は、具体的にはＣＰＵで構成され、ＣＰＵが記憶部１１に記憶されたプログラムを逐次読み出して実行し、表示制御部１２、操作入力部１３、無線通信部１４等の周辺ＬＳＩを制御することで、無線通信部１４の動作を設定する複数の項目が割り付けられた動作設定画面（ＲＦＩＤロックメニュー画面）と、無線通信部１４に電力が供給された状態で表示されると共に、動作設定画面（ＲＦＩＤロックメニュー画面）に移行させるための項目が割り付けられた移行画面（ＲＦＩＤメニュー画面）とを表示部（表示ディスプレイ１６）に表示するように制御し、動作設定画面（ＲＦＩＤロックメニュー画面）に基づく設定が行われ、該設定を実行する指示が行われると、移行画面（ＲＦＩＤメニュー画面）及び動作設定画面（ＲＦＩＤロックメニュー画面）以外の画面に移行させる機能を実現するものである。
【図面の簡単な説明】
【００３３】
【図１】本発明の実施の形態１にかかわる携帯端末装置の構成を示すブロック図である。
【図２】図１に示す無線通信部１４の内部構成を示すブロック図である。
【図３】本発明の実施の形態にかかわる携帯端末装置の動作を説明するために引用したフローチャートである。
【図４】本発明の実施の形態にかかわる携帯端末装置の動作を説明するために引用した画面遷移図である。
【図５】本発明の実施の形態にかかわる携帯端末装置の動作を説明するために引用した画面遷移図である。
【図６】従来の携帯端末装置における設定メニューの画面遷移の一例を示す図である。
【符号の説明】
【００３４】
１０…制御部、１１…記憶部、１２…表示制御部、１３…操作入力部、１４…無線通信部、１５…表示メモリ、１６…表示モニタ（表示部）、２０…システムバス、１００…主制御部、１０１…操作入力取得部、１０２…機能設定部、１０３…システム設定部、１０４…表示情報生成部。
【図１】
2008054144.tif 000003
【図２】
2008054144.tif 000004
【図３】
2008054144.tif 000005
【図４】
2008054144.tif 000006
【図５】
2008054144.tif 000007
【図６】
2008054144.tif 000008